【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
読み込んだ原稿画像を、指定されたレイアウトの出力画像として出力媒体上に形成する画像形成装置であって、
レイアウトを指定するレイアウト指定手段と、
原稿画像を画像データとして読み取る画像読み取り手段と、
前記画像データを所望の倍率で変倍し、格納する変倍格納手段と、
前記変倍格納手段により格納された画像データから、前記指定手段により指定されたレイアウトで画像を形成する画像形成手段と
を備えることを特徴とする画像形成装置。
【請求項２】
前記レイアウト指定手段は、指定するレイアウトとして、原稿画像を出力媒体の両面に記録する両面指定と、両面指定の場合には媒体を綴じる綴じ軸方向の指定を与え、前記画像形成手段は、指定された綴じ軸方向に応じて、媒体の両面に記録される画像の位置関係を変えて画像を形成することを特徴とする請求項１に記載の画像形成装置。
【請求項３】
前記画像形成手段は、両面に記録するための媒体反転手段を有し、前記レイアウト指定手段により両面記録が指定された場合には、前記媒体反転手段による媒体反転の軸方向と、前記綴じ軸方向とが一致しているか判定し、一致していないならば、裏面に記録される画像データを表面のそれに対して１８０度回転するように形成することを特徴とする請求項２に記載の画像形成装置。
【請求項４】
前記レイアウト指定手段は、指定するレイアウトとして、原稿画像を縮小して出力画像の１ページにまとめて記録する縮小指定を与え、縮小指定の場合には、前記変倍手段は、原稿画像を指定倍率で変倍して、まとめて記録すべき原稿画像のページ数分の画像データを格納し、前記画像形成手段は、格納された画像データ中の各ページを、指定されたレイアウトに応じて出力ページにレイアウトして画像を形成することを特徴とする請求項１に記載の画像形成装置。
【請求項５】
原稿画像の向きを検出する原稿方向検出手段を更に備え、前記画像形成手段は、前記原稿方向検出手段により検出された原稿の向きに応じて、前記指定手段により指定されたレイアウトで画像を形成することを特徴とする請求項１乃至４のいずれかに画像形成装置。
【請求項６】
原稿画像に含まれる文字列の並びの方向を検出する文字方向検出手段を更に備え、前記画像形成手段は、前記文字方向検出手段により検出された文字の並びの向き応じて、前記指定手段により指定されたレイアウトで画像を形成することを特徴とする請求項１乃至５のいずれかに画像形成装置。
【請求項７】
前記前記原稿画像と出力画像との対応を表示する表示手段を更に備えることを特徴とする請求項１に記載の画像形成装置。
【請求項８】
前記画像読取り手段は、重ね合わせて載置された原稿を連続的に供給する原稿フィーダ部を含み、前記表示手段は、前記原稿フィーダ部に、原稿画像と出力画像との対応を表示することを特徴とする請求項７に記載の画像形成装置。
【請求項９】
読み込んだ原稿画像を、指定されたレイアウトの出力画像として出力媒体上に形成する画像形成方法であって、
原稿画像から読み取った画像データを指定された倍率で変倍し、格納する変倍格納工程と、
前記変倍格納工程により格納された画像データから、指定されたレイアウトで画像を形成する画像形成工程と
を備えることを特徴とする画像形成方法。
【請求項１０】
前記指定されるレイアウトとして、原稿画像を出力媒体の両面に記録する両面指定と、両面指定の場合には媒体を綴じる綴じ軸方向の指定が含まれ、前記画像形成工程は、指定された綴じ軸方向に応じて、媒体の両面に記録される画像の位置関係を変えて画像を形成することを特徴とする請求項９に記載の画像形成方法。
【請求項１１】
前記画像形成工程は、両面に記録するために媒体反転手段により媒体を反転し、両面記録が指定された場合には、前記媒体反転手段による媒体反転の軸方向と、前記綴じ軸方向とが一致しているか判定し、一致していないならば、裏面に記録される画像データを表面のそれに対して１８０度回転するように形成することを特徴とする請求項１０に記載の画像形成方法。
【請求項１２】
前記指定されるレイアウトとして、原稿画像を縮小して出力画像の１ページにまとめて記録する縮小指定が含まれ、縮小指定の場合には、前記変倍格納工程は、原稿画像を指定倍率で変倍して、まとめて記録すべき原稿画像のページ数分の画像データを格納し、前記画像形成工程は、格納された画像データ中の各ページを、指定されたレイアウトに応じて出力ページにレイアウトして画像を形成することを特徴とする請求項９に記載の画像形成方法。
【請求項１３】
原稿画像の向きを検出する原稿方向検出工程を更に備え、前記画像形成工程は、前記原稿方向検出工程により検出された原稿の向きに応じて、前記指定されたレイアウトで画像を形成することを特徴とする請求項９乃至１２のいずれかに画像形成方法。
【請求項１４】
原稿画像に含まれる文字列の並びの方向を検出する文字方向検出工程を更に備え、前記画像形成工程は、前記文字方向検出工程により検出された文字の並びの向き応じて、前記指定されたレイアウトで画像を形成することを特徴とする請求項９乃至１３のいずれかに画像形成方法。
【請求項１５】
１枚のシートの同一面上に複数ページの原稿画像をレイアウトする場合における、複数ページの原稿画像の配置順序として選択可能なレイアウトの候補を表す画像データを操作部に表示させるステップと、
１枚のシートの表裏に原稿画像をレイアウトする場合における、綴じ方向として選択可能なレイアウトの候補を表す画像データを前記操作部に表示させるステップと、
前記操作部上の複数ページの原稿画像の配置順序として選択可能なレイアウトの候補を表す画像データの表示および前記綴じ方向として選択可能なレイアウトの候補を表す画像データの表示のなかから所望のレイアウトを選択するステップと、
前記操作部における前記レイアウトの候補を表す画像データの表示の中から選択されたレイアウトに従って原稿画像を処理させるステップと
を有することを特徴とする画像処理方法。
【請求項１６】
１枚のシートの表裏に原稿画像をレイアウトする場合における、とじ方向として選択可能なレイアウトの候補として、記録用紙の長辺が綴じ方向であることを表す画像データと記録用紙の短辺が綴じ方向であることを表す画像データを前記操作部に表示させることを特徴とする請求項１５記載の画像処理方法。
【請求項１７】
１枚のシートの同一面上に複数ページの原稿画像をレイアウトする場合における、複数ページの原稿画像の配置順序として選択可能なレイアウトの候補として、1枚のシートの同一面上に配置される４ページ分の複数の原稿画像が夫々異なる配置順序で配列された複数のレイアウトを表す複数の画像データを前記操作部に表示させることを特徴とする請求項１５又は１６に記載の画像処理方法。
【請求項１８】
１枚のシートの表裏に夫々４ページ分の原稿画像をレイアウトする場合における、複数ページの原稿画像の配置順序として選択可能なレイアウトの候補として、シートの表裏に夫々異なる配列順序で４ページ分の原稿画像が配列された複数のレイアウトを表す複数の画像データを前記操作部に表示させることを特徴とする請求項１５乃至１７の何れかに記載の画像処理方法。
【請求項１９】
１枚のシートの同一面上に複数ページの原稿画像をレイアウトする場合における、複数ページの原稿画像の配置順序として選択可能なレイアウトの候補を表す画像データと、１枚のシートの表裏に原稿画像をレイアウトする場合における、綴じ方向として選択可能なレイアウトの候補を表す画像データとを、前記操作部における同一画面上に表示させることを特徴とする請求項１５乃至１８の何れかに記載の画像処理方法。
【請求項２０】
１枚のシートの同一面上に複数ページの原稿画像をレイアウトする場合における、複数ページの原稿画像の配置順序として選択可能なレイアウトの候補を表す画像データを、原稿の向きを表す画像データと共に前記操作部に表示させ、原稿の向きもユーザにより選択可能とすることを特徴とする請求項１５乃至１９の何れかに記載の画像処理方法。
【請求項２１】
１枚のシートの表裏に原稿画像をレイアウトする場合における、綴じ方向として選択可能なレイアウトの候補を表す画像データを、原稿の向きを表す画像データと共に前記操作部に表示させ、原稿の向きもユーザにより選択可能とすることを特徴とする請求項１５乃至２０の何れかに記載の画像処理方法。
【請求項２２】
前記操作部に表示される原稿の向きを示す画像データにより特定される原稿の向き以外の原稿の向きも認識可能にする為に原稿の方向認識を行わせることを特徴とする請求項２０又は２１記載の画像処理方法。
【請求項２３】
どのように原稿をセットすると、どのような出力が得られるかを前記操作部に表示させることを特徴とする請求項１５乃至２２記載の画像処理方法。
【請求項２４】
シートの表裏に等倍で両面コピーを行う場合、および、２ページの原稿画像を１枚のシートの片面にレイアウトする２ｉｎ１片面コピーを行う場合、および、２ページの原稿画像を１枚のシートの両面にレイアウトする２ｉｎ１両面コピーを行う場合、および、４ページの原稿画像を１枚のシートの片面にレイアウトする４ｉｎ１片面コピーを行う場合、および、４ページの原稿画像を１枚のシートの両面にレイアウトする４ｉｎ１両面コピーを行う場合、の、それぞれにおいて、どのように原稿をセットすると、どのような出力が得られるかを表す画像データを前記操作部に表示させることを特徴とする請求項１５乃至２３の何れかに記載の画像処理方法。
【請求項２５】
シートの表裏に等倍で両面コピーを行う場合、および、２ページの原稿画像を１枚のシートの片面にレイアウトする２ｉｎ１片面コピーを行う場合、および、２ページの原稿画像を１枚のシートの両面にレイアウトする２ｉｎ１両面コピーを行う場合、および、４ページの原稿画像を１枚のシートの片面にレイアウトする４ｉｎ１片面コピーを行う場合、および、４ページの原稿画像を１枚のシートの両面にレイアウトする４ｉｎ１両面コピーを行う場合、の、それぞれにおいて、どのように原稿をセットすると、どのような出力が得られるかを表す画像データを、前記操作部とは異なる原稿読取装置の操作部に表示させることを特徴とする請求項１５乃至２４の何れかに記載の画像処理方法。
【手続補正２】
【補正対象書類名】明細書
【補正対象項目名】００１０
【補正方法】変更
【補正の内容】
【００１０】
また、本発明の画像形成方法は次のような工程を備える。すなわち、読み込んだ原稿画像を、指定されたレイアウトの出力画像として出力媒体上に形成する画像形成方法であって、原稿画像から読み取った画像データを指定された倍率で変倍し、格納する変倍格納工程と、前記変倍格納工程により格納された画像データから、指定されたレイアウトで画像を形成する画像形成工程とを備える。
あるいは、本発明は、１枚のシートの同一面上に複数ページの原稿画像をレイアウトする場合における、複数ページの原稿画像の配置順序として選択可能なレイアウトの候補を表す画像データを操作部に表示させるステップと、１枚のシートの表裏に原稿画像をレイアウトする場合における、綴じ方向として選択可能なレイアウトの候補を表す画像データを前記操作部に表示させるステップと、前記操作部上の複数ページの原稿画像の配置順序として選択可能なレイアウトの候補を表す画像データの表示および前記綴じ方向として選択可能なレイアウトの候補を表す画像データの表示のなかから所望のレイアウトを選択するステップと、前記操作部における前記レイアウトの候補を表す画像データの表示の中から選択されたレイアウトに従って原稿画像を処理させるステップとを有する。
【手続補正３】
【補正対象書類名】明細書
【補正対象項目名】００４１
【補正方法】変更
【補正の内容】
【００４１】
図１９（ａ）〜（ｄ）は、等倍両面コピーを表現したものである。図１９（ｅ），（ｆ）は、原稿の縦横それぞれを１／√2に縮小し、２ページの原稿を１枚の出力用紙に納めた２ｉｎ１と呼ばれるもので、その両面コピーを表現したものである。図２０（ｇ）〜（ｊ）は、４ｉｎ１片面コピーを表現したものである。図２１（ｋ）〜（ｎ），図２２（ｏ）〜（ｒ）は、４ｉｎ１両面コピーを表現したものである。